(57)【要約】【課題】騒音や振動を低減した画像形成装置を提供する。【解決手段】表面に静電潜像を形成する像担持体と、静電潜像に、それぞれ異なる色の現像剤を供給して画像を現像可能な複数の現像器が周方向に配列して設けられた現像ユニットと、現像ユニットを回転させる現像ユニット駆動手段とを備える画像形成装置において、現像ユニット駆動手段は、現像ユニットを待機位置に復帰させるときは、画像を形成するときと反対方向に現像ユニットを回転させる。【選択図】図７
2007171591.tif 000002
【特許請求の範囲】
【請求項１】
表面に静電潜像を形成する像担持体と、
前記静電潜像に、それぞれ異なる色の現像剤を供給して画像を現像可能な複数の現像器が周方向に配列して設けられた現像ユニットと、
前記現像ユニットを回転させる現像ユニット駆動手段とを備え、
前記現像ユニット駆動手段は、前記現像ユニットを待機位置に復帰させるときは、画像を形成するときと反対方向に前記現像ユニットを回転させることを特徴とする画像形成装置。
【請求項２】
前記現像ユニットの待機位置は、前記複数の現像器のうち、画像形成終了時に前記像担持体に当接する現像器と、該現像器に前記画像形成時の回転方向前方に隣接する現像器との間を前記像担持体に対向させる位置であることを特徴とする請求項１に記載の画像形成装置。
【請求項３】
前記現像ユニット駆動手段は、前記現像ユニットを待機位置に復帰させるときは、画像を形成するときより遅い速度で前記現像ユニットを回転させることを特徴とする請求項１または２に記載の画像形成装置。
【請求項４】
前記各現像器は、前記像担持体に当接し、前記現像剤を担持して回転可能な現像剤担持体と、前記現像剤担持体を回転させる現像剤担持体駆動歯車とをそれぞれ有し、
さらに、前記各現像剤担持体駆動歯車のいずれかに係合可能な１次駆動歯車と、
前記１次駆動歯車を駆動し、前記現像ユニットの回転時には、前記１次駆動歯車の周速を前記現像ユニットの回転速度に合わせて回転させる現像剤担持体駆動手段とを備えることを特徴とする請求項１から３のいずれかに記載の画像形成装置。
【請求項５】
前記現像剤担持体駆動手段は、前記現像ユニットが待機位置に復帰するときは、前記現像剤担持体駆動歯車が前記１次駆動歯車から離間したら、前記１次駆動歯車の回転を停止することを特徴とする請求項４に記載の画像形成装置。
【請求項６】
前記現像剤担持体駆動手段は、前記現像ユニットが回転するときには、画像を形成するときより出力を小さくすることを特徴とする請求項４または５に記載の画像形成装置。
【請求項７】
前記現像ユニットは、画像を形成するときは、前記現像剤担持体を、前記現像ユニットの径方向の頂点より前記現像ユニットの回転方向後方で、前記像担持体に当接させる位置に停止することを特徴とする請求項１から６のいずれかに記載の画像形成装置。
【発明の詳細な説明】
【技術分野】
【０００１】
本発明は、画像形成装置に関する。
【背景技術】
【０００２】
異なる色の現像剤で１つの像担持体に画像を形成することのできる複数の現像器を周方向に配置したドラム型の現像ユニットを有する画像形成装置において、現像ユニットは、画像形成の過程で逐次各色の現像器を像担持体に当接させるために回転し、さらに、画像形成終了後にも、現像ユニットは、待機位置に復帰するために回転する必要がある。
【０００３】
一般的なＹ（イエロー）、Ｍ（マゼンタ），Ｃ（シアン），Ｋ（ブラック）の４色の現像器を有する画像形成装置は、多色画像形成時は、Ｙ，Ｍ，Ｃ，Ｋの順に画像を形成し、モノクロ画像形成時は、ブラックの現像器のみで画像を形成する。
【０００４】
一般に、モノクロ画像とカラー画像の双方に対応するために、現像ユニットの待機位置は、ブラックの現像器を像担持体に当接させる直前の回転位置に設定されるため、現像ユニットは、画像形成後に、待機位置に復帰するためにほぼ一回転する必要がある。このため、現像ユニットは待機位置へ復帰する過程で、Ｙ，Ｍ，Ｃの各現像剤担持体を順番に、像担持体に当接、離間させる必要がある。このため、現像剤担持体が像担持体に当接する衝撃および歯車や接点の接離によって振動や騒音が発生するという問題があった。
【０００５】
特許文献１には、現像後の現像ユニットの回転量を減らすために、多色画像形成後とモノクロ画像形成後とで現像ユニットを待機位置に復帰させるための回転方向を異ならせる発明が記載されている。しかし、この発明によれば、多色画像形成時に、先ず、ブラックの画像から形成しなければならない。
【特許文献１】特開平１０−２６８６０６号公報
【発明の開示】
【発明が解決しようとする課題】
【０００６】
前記問題点に鑑みて、本発明は、騒音や振動を低減した画像形成装置を提供することを課題とする。
【課題を解決するための手段】
【０００７】
前記課題を解決するために、本発明による画像形成装置は、表面に静電潜像を形成する像担持体と、前記静電潜像に、それぞれ異なる色の現像剤を供給して画像を現像可能な複数の現像器が周方向に配列して設けられた現像ユニットと、前記現像ユニットを回転させる現像ユニット駆動手段とを備え、前記現像ユニット駆動手段は、前記現像ユニットを待機位置に復帰させるときは、画像を形成するときと反対方向に前記現像ユニットを回転させるものとする。
【０００８】
この構成によれば、現像ユニットを待機位置に復帰させるとき、画像形成時と反対方向に回転することで、現像剤担持体と像担持体との接離の回数を少なくして、振動や騒音の発生を軽減できる。また、現像ユニットの回転角度を小さくすることができ、時間的に余裕ができる。
【０００９】
また、本発明の画像形成装置において、前記現像ユニットの待機位置は、前記複数の現像器のうち、画像形成終了時に前記像担持体に当接する現像器と、該現像器に前記画像形成時の回転方向前方に隣接する現像器との間を前記像担持体に対向させる位置であってもよい。
【００１０】
この構成によれば、現像開始時および現像終了後の現像ユニットの回転が少なくて済む。特に、前記現像ユニットが４色の現像器を有するドラム型の現像ユニットである場合、現像ユニットの待機位置は、最後に現像する現像器が像担持体に当接する位置から画像形成時と逆回転で９０度未満の位置であるとよい。
【００１１】
また、本発明の画像形成装置において、前記現像ユニット駆動手段は、前記現像ユニットを待機位置に復帰させるときは、画像を形成するときより遅い速度で前記現像ユニットを回転させてもよい。
【００１２】
この構成によれば、現像ユニットを待機位置に復帰させる際に、現像ユニットの回転によって発生する振動や騒音を抑えることができる。
【００１３】
また、本発明の画像形成装置において、前記各現像器は、前記像担持体に当接し、前記現像剤を担持して回転可能な現像剤担持体と、前記現像剤担持体を回転させる現像剤担持体駆動歯車とをそれぞれ有し、さらに、前記各現像剤担持体駆動歯車のいずれかに係合可能な１次駆動歯車と、前記１次駆動歯車を駆動し、前記現像ユニットの回転時には、前記１次駆動歯車の周速を前記現像ユニットの回転速度に合わせて回転させる現像剤担持体駆動手段とを備えてもよい。
【００１４】
この構成によれば、現像剤担持体駆動歯車の１次駆動歯車に当接する部分の現像ユニットの回転による速度に、１次駆動歯車の周速を一致させることで、現像ユニットの回転に対して、現像剤担持体駆動手段が負荷として作用せず、現像ユニットの回転がスムーズになるので、騒音や振動を低減できる。
【００１５】
また、本発明の画像形成装置において、前記現像剤担持体駆動手段は、前記現像ユニットが待機位置に復帰するときは、前記現像剤担持体駆動歯車が前記１次駆動歯車から離間したら、前記１次駆動歯車の回転を停止してもよい。
【００１６】
この構成によれば、現像剤担持体駆動歯車と１次駆動歯車とが離間していれば、１次駆動歯車の周速を現像剤担持体駆動歯車の回動速度に合わせなくても、現像ユニットが現像剤担持体駆動手段から回転抵抗を受けない。よって、現像剤担持体駆動手段の回転を先に停止することで、モータ音を低減でき、消費エネルギーも低減できる。
【００１７】
また、本発明の画像形成装置において、前記現像剤担持体駆動手段は、前記現像ユニットを回転するときには、画像を形成するときより出力を小さくしてもよい。
【００１８】
この構成によれば、現像ユニットが回転している間は、現像剤担持体駆動歯車の１次歯車に当接する部分の現像ユニットの回転による速度に、１次駆動歯車の周速を一致させているので、現像剤担持体駆動手段による１次駆動歯車の回転に対して、現像ユニットの回転が負荷として作用しないため、現像剤担持体駆動手段の出力を小さくしてもよいので、モータ音を低減できる。
【００１９】
また、本発明の画像形成装置において、前記現像ユニットは、画像を形成するときは、前記現像剤担持体を、前記現像ユニットの径方向の頂点より前記現像ユニットの回転方向後方で前記像担持体に当接させるように停止してもよい。
【００２０】
この構成によれば、各色の画像形成は、現像ユニットの回転による現像剤担持体と像担持体との圧接力の変化の極大点を過ぎた位置で行われる。このため、各色の画像形成が終了した直後に、次の色の画像を形成するために現像ユニットを回転しても、現像剤担持体の像担持体に対する圧接力が単調減少する。よって、像担持体に形成した画像が１次転写される間に１次転写圧力を上昇させることがなく、転写ずれを発生させない。
【発明の効果】
【００２１】
以上のように、本発明によれば、現像ユニットを待機位置に復帰させるときは、現像ユニットを画像形成時とは反対方向に回転させるので、画像形成装置の振動や騒音が小さい。
【発明を実施するための最良の形態】
【００２２】
これより、本発明の実施形態について、図面を参照しながら説明する。
図１に、本発明の一実施形態の画像形成装置１を示す。画像形成装置１は、給紙トレイ２に記録紙が供給され、給紙ローラ３が記録紙を一枚ずつ取りだし、第１搬送ローラ４および第２搬送ローラ５が記録紙を転写ベルト６と転写ローラ７との間に送り込む。転写ベルト６には、作像部８でトナー画像が形成され、転写ローラ７の静電力によってトナー画像が記録紙に転写される。そして、記録紙は、定着ローラ９で加熱されてトナー画像が定着され、排出ローラ１０で機外に排出される。作像部８は、Ｙ（イエロー）、Ｍ（マゼンタ），Ｃ（シアン），Ｋ（ブラック）の４色のトナー（現像剤）によるトナー画像を形成でき、現像ユニット１１と感光体（像担持体）１２とを有している。また、画像形成装置１は、転写ローラ７と定着ローラ９との間の記録紙の張り具合を検出する用紙張りセンサ１３を有している。さらに、画像形成装置１は、両面にトナー画像を形成するために、記録紙を裏返して第２搬送ローラ５に送り込む両面印刷ユニット１４を備えている。
【００２３】
図２に、現像ユニット１１と感光体１２とを詳しく示す。感光体１２は、不図示の帯電器および露光器により、表面に静電潜像が形成される。現像ユニット１１は、感光体１２の静電潜像に、それぞれ、Ｙ，Ｍ，Ｃ，Ｋのトナーを供給してトナー画像を形成（現像）する現像器１５Ｙ，１５Ｍ，１５Ｃ，１５Ｋを周方向に９０度毎に配置した回動可能なドラム型のユニットである。各現像器１５Ｙ，１５Ｍ，１５Ｃ，１５Ｋは、現像ユニット１１の回転位置によって感光体１２に当接可能な現像ローラ（現像剤担持体）１６Ｙ，１６Ｍ，１６Ｃ，１６Ｋを有し、現像ローラ１６Ｙ，１６Ｍ，１６Ｃ，１６Ｋの表面に均一に付着させたトナーを感光体１２の静電潜像に付着させるものである。
【００２４】
現像ユニット１１は、画像形成の際に、感光体１２上にＹ，Ｍ，Ｃ，Ｋの各色の画像を逐次形成するために、図示した矢印の方向に回転する。図２は、画像形成装置１が画像を形成していないときの、現像ユニット１１が待機位置にある状態を示す。待機位置において、現像ユニット１１は、ブラックの現像ローラ１６Ｋが感光体１２に当接する位置より、矢印で示す画像形成時の回転方向の４５度後方（逆回転で４５度）の位置に停止している。
【００２５】
図３に、現像ユニット１１の外観を示す。現像ユニット１１は、一端に現像ユニット駆動モータ（駆動手段）１７で駆動される現像ユニット駆動歯車１８が係合しており、現像ユニット駆動モータ１７によって回転させられる。また、現像ユニット１１は、図４に示すように、それぞれ、現像ローラ１６Ｙ，１６Ｍ，１６Ｃ，１６Ｋを回転させる現像ローラ駆動歯車（現像剤担持体駆動歯車）１９Ｙ，１９Ｍ（不図示），１９Ｃ（不図示），１９Ｋを有している。また、画像形成装置１の作像部８は、現像ユニット１１とは独立して固定された現像ローラ駆動モータ（現像剤担持体駆動手段）２０および現像ローラ駆動モータ２０により駆動される１次駆動歯車２１を有し、現像ユニット１１の回転位置によって、１次駆動歯車２１と、現像ローラ駆動歯車１９Ｙ，１９Ｍ，１９Ｃ，１９Ｋのいずれかとが咬合することで、現像ローラ１６Ｙ，１６Ｍ，１６Ｃ，１６Ｋのいずれかが、現像ローラ駆動モータ２０により回転させられる。
【００２６】
また、図５に示すように、現像ユニット１１は、画像形成装置１内で揺動可能なアーム２２により支持されており、アーム２２は、ばね２３によって、現像ユニット１１を感光体１２に近づける方向に付勢されている。
【００２７】
図６は、画像形成装置１の各構成要素の制御上の関係を示す。画像形成装置１は、ＣＰＵ２４（制御装置）によって動作を制御される。ＣＰＵ２４は、給紙ローラ３、第１搬送ローラ４、第２搬送ローラ５、転写ローラ７、定着ローラ９および排出ローラ１０に用紙搬送指令信号を発する。また、ＣＰＵ２４は転写ローラ７を転写ベルト６に対して圧接させる２次転写指令信号を発し、定着ローラ９に対して所定の温度に保つように指示する定着指令信号を発する。用紙張りセンサ１３は、転写ローラ７と定着ローラ９との間の記録紙の張り具合を検出し、ＣＰＵ２４に出力する。ＣＰＵ２４は、記録紙を適切な張り具合に調節するために定着ローラ９の回転速度を制御する。また、ＣＰＵ２４は、記録紙の搬送に合わせて、作像部８にトナー画像の形成を指示する。作像部８は、必要に応じて現像ユニット１１を回転させ、感光体１２に所定の色のトナー画像を形成し、感光体１２から転写ベルト６にトナー画像を１次転写する。
【００２８】
続いて、図７に画像形成装置１における各色の画像形成の流れを示し、その作用を説明する。
先ず、画像形成装置１は、電源を入れると、ステップＳ１において、現像ユニット１１を図２に示した待機位置に移動させる。画像形成装置１は、ステップＳ２において印刷指示を受け付けると、ステップＳ３において印刷内容がカラー（多色）であるか、モノクロ（白黒）であるかを確認する。カラー印刷の場合は、ステップＳ４に進み、現像ユニット駆動モータ１７で現像ユニット１１を図２の矢印方向（正方向）に１３５度回転させ、図８に示すように、イエローの現像器１５Ｙの現像ローラ１６Ｙを感光体１２に当接させる。
【００２９】
ステップＳ４において、図９に示すように、現像ローラ駆動モータ２０は、１次駆動歯車２１の周速を、現像ローラ駆動歯車１９Ｙの１次駆動歯車２１側の移動速度に合わせるように回転する。これによって、現像ユニット１１の回転途中で、現像ローラ駆動歯車１９Ｙが１次駆動歯車２１に当接する瞬間に、現像ローラ駆動歯車１９Ｙおよび現像ローラ１６Ｙの回転抵抗が現像ユニット１１の回転を阻害することがない。
【００３０】
ステップＳ４で、現像ユニット１１の回転が終了したとき、図１０に詳細に示すように、現像ローラ１６Ｙは、現像ユニット１１の径方向の頂点Ｐが感光体１２に正対する位置から回転方向に角度θ（例えば０．４度）だけ余分に回転した位置に停止し、頂点Ｐの後方を感光体１２に当接させる。
【００３１】
この状態で、ステップＳ５において、イエローのトナー画像を感光体１２上に形成する。そして、ステップＳ６で、現像ユニット１１をさらに９０度正転させ、図１０と同様に、マゼンタの現像ローラ１６Ｍの頂点後方を感光体１２に当接させる。
【００３２】
ステップＳ６で、現像ユニット１１の回転を開始した直後は、感光体１２は、イエローのトナー画像を転写ベルト６に１次転写している最中である。１次転写の際に、転写ベルト６と感光体１２との圧接力が変動すると、特に、圧接力が増加すると、転写ベルト６に転写される画像に乱れを生じる転写ずれを引き起こす危険性が高い。
【００３３】
しかしながら、本実施形態では、ステップＳ５において、現像ローラ１６Ｙの頂点を過ぎた位置を感光体１２に当接させた状態で、トナー画像を形成しているので、ステップＳ６において現像ユニット１１を回転し始めたとき、現像ローラ１６Ｙと感光体１２との圧接力は必ず単調減少する。次のマゼンタの現像ローラ１６Ｍが感光体１２に当接するときには、感光体１２は転写ベルト６にイエローのトナー画像を転写し終えているので、現像ローラ１６Ｍが当接して感光体１２の転写ベルト６に対する圧接力を増加させても、もはや転写ずれは起こらない。
【００３４】
現像ローラ１６Ｙと感光体１２との圧接力は、現像ローラ１６Ｙの頂点が感光体１２に当接するときが最大である。しかしながら、図１１に示すように、ステップＳ５の画像形成中に１次駆動歯車２１が現像ローラ駆動歯車１９Ｙを回転させる力Ｆｇと、現像ユニット１１を回転させる現像ユニット駆動歯車１８の力Ｆｕを現像ユニットの中心位置で合成すると、現像ローラ１６Ｙと感光体１２との圧接力を増加させる方向の成分を含む。また、現像ユニット１１を回転させる現像ユニット駆動歯車１８の力Ｆｕも、現像ローラ１６Ｙと感光体１２との圧接力を増加させる方向の成分を含む。このため、画像形成において、現像ローラ１６Ｙと感光体１２との圧接力が不十分になることはない。
【００３５】
以下同様に、ステップＳ７でマゼンタのトナー画像を形成し、ステップＳ８で現像ユニット１１を９０度回転し、ステップＳ９でシアンのトナー画像を形成する。そして、ステップＳ１０で現像ユニット１１をさらに９０度回転させると、図１２に示すように、ブラックの現像器１５Ｋの現像ローラ１６Ｋが感光体１２に当接する。この状態で、ステップＳ１１においてブラックのトナー画像を感光体１２上に形成し、画像形成処理が完了する。
【００３６】
最後に、ステップＳ１２で、現像ユニット１１を４５度逆方向に回転することで待機位置に復帰させることができ、ステップＳ２で次の印刷指示を待つ。ステップＳ１２において、１次駆動歯車２１が現像ローラ駆動歯車１９Ｋを回転させる力Ｆｇ’と、現像ユニット１１を回転させる現像ユニット駆動歯車１８の力Ｆｕ’とを現像ユニット１１の中心位置で合成すると、図１３に示すように、現像ローラ１６Ｋと感光体１２との圧接力を低下させる方向に作用するので、感光体１２から転写ベルト６へのブラックの画像の１次転写圧力を増加させることがなく、転写ずれを発生させない。
【００３７】
また、ステップＳ３において、印刷指示の内容がモノクロである場合は、ステップＳ１３に進み、現像ユニット１１を４５度正転させることで、やはり、図１２に示すように、ブラックの現像ローラ１６Ｋを感光体１２に当接させることができ、ステップＳ１１に進んでステップＳ４からステップＳ１０のＹ，Ｍ，Ｃのトナー画像の形成を省略して、ブラックのトナー画像だけを形成する。画像形成処理が終了したなら、現像ユニット１１を４５度逆方向に回転させて待機位置に復帰させ、ステップＳ２で次の印刷指示を待つ。
【００３８】
図１４に、以上の動作に係る現像ユニット駆動モータ１７と現像ローラ駆動モータ２０とを駆動する回路の出力設定を示す。現像ユニット駆動モータ１７および現像ローラ駆動モータ２０は、パルスモータからなり、時間当たりのパルス数が多くなるほど速く回転する。本実施形態では、現像ユニット駆動モータ１７および現像ローラ駆動モータ２０に入力する１秒当たりのパルス数（ｐｐｓ）を等しくすると、１次駆動歯車２１の周速と、現像ローラ駆動歯車１９Ｙ，１９Ｍ，１９Ｃ，１９Ｋの１次駆動歯車２１に当接する部分の現像ユニット１１の回転による回動速度とが一致するようにギア比が選定されている。現像ユニット駆動モータ１７および現像ローラ駆動モータ２０の回転方向は、別途信号により設定される。
【００３９】
現像ローラ駆動モータ２０には、現像ユニット駆動モータ１７が動作しているときは、現像ユニット駆動モータ１７と同じ数のパルスが入力され、１次駆動歯車を、現像ユニット１１上の現像ローラ駆動歯車１９Ｙ，１９Ｍ，１９Ｃ，１９Ｋの移動速度に合わせて回転させる。これによって、前記回転抵抗を無くして、振動や騒音を抑制する。
【００４０】
また、画像形成装置１では、ステップＳ２からステップＳ１１およびステップＳ１３の画像形成処理が終了した後、ステップＳ１２で現像ユニット１１を待機位置に復帰させる過程において、現像ローラ１６Ｙ，１６Ｍ，１６Ｃが感光体１２に当接することがない。これによっても、振動や騒音が低減されている。
【００４１】
また、ステップＳ１２の現像ユニット１１を待機位置に復帰させるための回転が４５度だけであり、ステップＳ４，Ｓ６，Ｓ８，Ｓ１０に比べて少なくてよいので、ステップＳ１２の現像ユニット１１を待機位置に復帰させるための逆回転の速度を、ステップＳ４，Ｓ６，Ｓ８，Ｓ１０の現像色を変更するための正回転時の回転速度（例えば１２６５ｐｐｓ）に比べ、例えば６００ｐｐｓと遅く設定しても、感光体１２から転写ベルト６へのトナー画像の１次転写の終了から大きく遅れることなく、現像ユニット１１の待機位置への復帰を完了させることができる。このように、現像ユニット１１の回転速度を遅くすることで、駆動音や振動を低減することができる。
【００４２】
また、現像ローラ駆動モータ２０は、別途信号入力により、電流値をＨＩとＬＯとの間で切り換えることができ、発生トルク（出力）を切り換えることができる。図１４に示すように、本実施形態において、現像ローラ駆動モータ２０は、感光体１２上にトナー画像を形成している間のみ、電流が高くなるように設定され、大きなトルクを発生する。これによって、現像ローラ１６Ｙ，１６Ｍ，１６Ｃの負荷がないときは、電流値を低くして不要なエネルギーの消費を防止し、トルク過多による現像ローラ駆動モータ２０や１次駆動歯車２１のピッチング等を防止して騒音や振動を低減できる。
【００４３】
以上の画像形成装置１では、さらに、ステップＳ１２において、図１５に示すように、１次駆動歯車２１が現像ローラ駆動歯車１９Ｋから離間したときに現像ローラ駆動モータ２０を停止するようにして、エネルギー消費を節約してもよい。
【図面の簡単な説明】
【００４４】
【図１】本発明の一実施形態の画像形成装置の構成を示す概略図。
【図２】図１の画像形成装置の現像ユニットおよび像担持体の構成を示す概略図。
【図３】図１の現像ユニットの斜視図。
【図４】図１の現像ユニットの異なる視点からの斜視図。
【図５】図１の現像ユニットの支持方法を示す概略図。
【図６】図１の現像ユニットの制御上の構成を示すブロック図。
【図７】図１の現像ユニットの動作の流れ図。
【図８】図１の現像ユニットの画像形成中を示す概略図。
【図９】図１の現像ユニットの現像色変更時の回転動作を示す概略図。
【図１０】図２の現像剤担持体と像担持体との当接状態を示す詳細図。
【図１１】図１の現像ユニットに画像形成中に作用する力の向きを示す概略図。
【図１２】図１の現像ユニットの画像形成中を示す概略図。
【図１３】図１の現像ユニットに待機位置復帰中に作用する力の向きを示す概略図。
【図１４】図１の画像形成装置を駆動するための入力のタイミングチャート。
【図１５】図１の現像ユニットの待機位置復帰時の回転動作を示す概略図。
【符号の説明】
【００４５】
１  画像形成装置
１１  現像ユニット
１２  感光体（像担持体）
１５Ｙ，１５Ｍ，１５Ｃ，１５Ｋ  現像器
１６Ｙ，１６Ｍ，１６Ｃ，１６Ｋ  現像ローラ（現像剤担持体）
１７  現像ユニット駆動モータ（現像ユニット駆動手段）
１９Ｙ，１９Ｍ，１９Ｃ，１９Ｋ  現像ローラ駆動歯車（現像剤担持体駆動歯車）
２０  現像ローラ駆動モータ（現像剤担持体駆動手段）
２１  １次駆動歯車
【図１】
2007171591.tif 000003
【図２】
2007171591.tif 000004
【図３】
2007171591.tif 000005
【図４】
2007171591.tif 000006
【図５】
2007171591.tif 000007
【図６】
2007171591.tif 000008
【図７】
2007171591.tif 000009
【図８】
2007171591.tif 000010
【図９】
2007171591.tif 000011
【図１０】
2007171591.tif 000012
【図１１】
2007171591.tif 000013
【図１２】
2007171591.tif 000014
【図１３】
2007171591.tif 000015
【図１４】
2007171591.tif 000016
【図１５】
2007171591.tif 000017